(57)【要約】【課題】  構造が簡単で、駆動部８の駆動位置を選ばず、取り扱いやすい手動回転歯ブラシの提供。【解決手段】  ブラシ本体１の端部に第１歯車４を有する回転ブラシ３を軸支し、第１歯車４と第３歯車６との間をベルト７で接続し、ベルト７に駆動部８を設けて、長手方向に往復移動させる。【選択図】図１
0003218866.tif 000002
【実用新案登録請求の範囲】
【請求項１】
細長いブラシ本体（１）と、
前記ブラシ本体（１）の長手方向の一端部（１ａ）に、ブラシ本体（１）に直交して回転軸（２）が軸支された回転ブラシ（３）と、
前記回転軸（２）の回りに取付られた第１歯車（４）と、
前記一端部（１ａ）から離間した位置で、ブラシ本体（１）に軸支された第３歯車（６）と、
前記第１歯車（４）と第３歯車（６）とを連結する柔軟なベルト（７）と、
前記ベルト（７）に取付られ、ブラシ本体（１）の長手方向に手動で往復される駆動部（８）と、
を具備する手動回転歯ブラシ。
【請求項２】
前記第１歯車（４）に歯合する増速用の第２歯車（５）を有し、第２歯車（５）と第３歯車（６）とが柔軟なベルト（７）により環状に連結された請求項１に記載の手動回転歯ブラシ。
【請求項３】
ブラシ本体（１）の内部が中空に形成された中空部（１ｂ）を有し、その中空部（１ｂ）内に前記第１歯車（４）、第２歯車（５）、第３歯車（６）、ベルト（７）が収納され、前記駆動部（８）がブラシ本体（１）の表面に露出された請求項２に記載の手動回転歯ブラシ。
【請求項４】
ブラシ本体（１）の中空部（１ｂ）の少なくとも一端が外部に露出され、その露出部（１ｄ）（１ｅ）から前記中空部（１ｂ）内の水を排出できるように構成した請求項３に記載の手動回転歯ブラシ。
【請求項５】
前記露出部（１ｄ）（１ｅ）にカバー（９）および、または栓（１０）が開閉自在に取付られる請求項４に記載の手動回転歯ブラシ。
【考案の詳細な説明】
【技術分野】
【０００１】
本考案は、手動で駆動される回転歯ブラシに関する。
【背景技術】
【０００２】
下記特許文献１、特許文献２に記載の手動回転歯ブラシは、柄にラックとピニオンを設け、柄または取手を前後動させることにより、ピニオンに接続した回転歯ブラシを回転させるものである。
次に、特許文献３に記載の手動式回転ブラシは、回転軸が貫通されたブラシ本体の外周にピニオンを形成させ、それに枠部のラックを歯合させる。その枠部の端部と回転軸の端部とを、自在継手により接続し、ブラシ本体を枠部に対して、左右に揺動させることにより、回転軸を回転させ、その先端に設けた回転歯ブラシを回転させて、手動駆動による歯磨きを実現するものである。
【先行技術文献】
【特許文献】
【０００３】
【特許文献１】特表平６−５１０２１１号公報
【特許文献２】実開平５−４９１９号公報
【特許文献３】実開昭５４−１０８１７５号公報
【考案の概要】
【考案が解決しようとする課題】
【０００４】
特許文献１、特許文献２に記載された手動回転歯ブラシは、ラック及びピニオンを介して歯ブラシを回転させるものである。この構造による手動回転歯ブラシは、歯ブラシ本体または取手と頭部カバーとの相対移動範囲が狭く、磨き効果に疑問が生じる欠点がある。
特許文献３に記載の手動式回転歯ブラシは、ラックとピニオン及び自在継手その他を要し、構造が複雑で、部品点数が多く、歯ブラシの駆動機構に故障が生ずるおそれがある。
そこで、本考案は、構造が簡単で、故障し難いと共に、可動範囲が広く、使い勝手の良いものを提供することを課題とする。
【課題を解決するための手段】
【０００５】
請求項１に記載の考案は、細長いブラシ本体１と、
前記ブラシ本体１の長手方向の一端部１ａに、ブラシ本体１に直交して回転軸２が軸支された回転ブラシ３と、
前記回転軸２の回りに取付られた第１歯車４と、
前記一端部１ａから離間した位置で、ブラシ本体１に軸支された第３歯車６と、
前記第１歯車４と第３歯車６とを連結する柔軟なベルト７と、
前記ベルト７に取付られ、ブラシ本体１の長手方向に手動で往復される駆動部８と、
を具備する手動回転歯ブラシである。
【０００６】
請求項２に記載の考案は、第１歯車４に歯合する増速用の第２歯車５を有し、第２歯車５と第３歯車６とが柔軟なベルト７により環状に連結された手動回転歯ブラシである。
【０００７】
請求項３に記載の考案は、ブラシ本体１の内部が中空に形成された中空部１ｂを有し、その中空部１ｂ内に、第１歯車４、第２歯車５、第３歯車６、ベルト７が収納され、駆動部８がブラシ本体１の表面に露出された請求項２に記載の手動回転歯ブラシである。
【０００８】
請求項４に記載の考案は、ブラシ本体１の中空部１ｂの少なくとも一端が外部に露出され、その露出部１ｄ、１ｅから中空部１ｂ内の水を排出できるように構成した請求項３に記載の手動回転歯ブラシである。
請求項５に記載の考案は、前記露出部１ｄ、１ｅにカバー９および、または栓１０が開閉自在に取付られる請求項４に記載の手動回転歯ブラシである。
【考案の効果】
【０００９】
請求項１に記載の考案は、回転ブラシ３が取付られた第１歯車４と、第３歯車６とが柔軟なベルト７で接続され、そのベルト７に駆動部８が設けられているので、駆動部８を使用しやすい位置にして、往復駆動して回転ブラシ３を回転することができ、使い勝手のよいものとなる。さらには、駆動部８の移動範囲が広く、磨き易い手動回転歯ブラシとなる。
【００１０】
請求項２に記載の考案は、第１歯車４に歯合する増速用の第２歯車５を有し、第２歯車５と第３歯車６とが柔軟なベルト７により環状に連結されたから、回転ブラシ３の回転を速くして、歯みがき動作を迅速に行える。
【００１１】
請求項３に記載の考案は、ブラシ本体１の中空部１ｂ内に第１歯車４、第２歯車５、第３歯車６、ベルト７が収納され、駆動部８がブラシ本体１の表面に露出されたものであるから、内部構造を被蔽した体裁のよい手動回転歯ブラシとなる。
【００１２】
請求項４に記載の考案は、ブラシ本体１の中空部１ｂの少なくとも一端が外部に露出され、その露出部１ｄ，１ｅから中空部１ｂ内の水を排出できるように構成したから、内部の水を自然排出できる。
請求項５に記載の考案は、露出部１ｄ、１ｅがカバー９および、または栓１０により開閉自在に閉塞されるので、中空部内に進入した水を適宜外部に排出できる。
【図面の簡単な説明】
【００１３】
【図１】本考案の第１実施形態の手動回転歯ブラシの要部縦断面図。
【図２】図１のＩＩ−ＩＩ矢視断面図。
【図３】本考案の第２実施形態の要部縦断面図。
【図４】本考案の第３実施形態に用いるベルト７と第３歯車６との歯合説明図。
【考案を実施するための形態】
【００１４】
次に、図面に基づいて本考案の実施の形態につき、説明する。
図１は本考案の第１実施形態の要部縦断面図であり、図２は図１のＩＩ−ＩＩ矢視断面図である。
【００１５】
この実施形態では、細長いブラシ本体１の内部に、中空部１ｂが形成されている。そのブラシ本体１の長手方向の一端部１ａには、回転軸２が軸支された回転ブラシ３を有する。回転軸２の外周には第１歯車４が設けられ、その第１歯車４に増速用の第２歯車５が歯合されている。
【００１６】
この第２歯車５の軸は、第１歯車４に隣接してブラシ本体１に軸支されている。また、中空部１ｂの長手方向の他端部側には、第３歯車６の回転軸が軸支されている。そして、第２歯車５と第３歯車６との間が、この実施形態ではタイミングベルトからなる、柔軟なベルト７で環状に連結されている。
【００１７】
さらに、ブラシ本体１の外面には駆動部８が露出すると共に、細長いスリット１ｃが形成され、そこに駆動部８のベルト係止部８ａが挿入され、その先端がベルト７の一部に接続されている。
【００１８】
なお、この形態では、ベルト７が第２歯車５を介して第１歯車４に歯合されているが、これに替えて、第１歯車４と第３歯車６とを直接、ベルト７により接続しても良い。その場合には、回転ブラシ３の回転速度が、図１の回転速度よりも減速される。
【００１９】
（作用）
この実施形態において、駆動部８をブラシ本体１の長手方向に往復移動させると、ベルト係止部８ａ、ベルト７を介し、第２歯車５、第１歯車４を回転し、回転ブラシ３を回転駆動させる。それにより、歯を効率的に清掃することができる。また、駆動部８は、スリット１ｃ内において適宜位置に移動することができるので、必要に応じ駆動部８の位置を使いやすい位置にすると共に、好みに合わせた範囲に移動することができる。また、この実施形態では、第２歯車５と第１歯車４との歯車比によって、回転ブラシ３をより速く回転させ、迅速な磨き効果を得ることができる。
【００２０】
次に、図３は、本考案の第２実施形態であり、この形態が前記第１実施形態と異なる点は、ブラシ本体１の両端に露出部１ｄ、露出部１ｅを開口し、そこにから内部の水を自然に排出できる。例えば、ブラシをコップ等に挿入すれば、端部から内部の水を排出できる。また、その露出部１ｄ、露出部１ｅにカバー９、栓１０を取付け、それらを着脱することができる。そのようにしても、スリット１ｃ内に侵入した水を適宜排出できる。これらにより、ブラシ本体１の内部を清潔にすることができる。
【００２１】
次に、図４は、本考案に用いられるベルト７の他の形態であり、この形態のベルト７が前記実施形態と異なる点は、ベルト７の長手方向に間欠的に多数の開口７ａが形成され、第３歯車６の歯部が各開口７ａに歯合する点である。これにより、ベルトと各歯車との歯合をより確実に行える。なお、本考案は上記実施例に限定されるものではなく、実用新案登録請求の範囲に記載された構成の範囲において、適宜変更できる。
【符号の説明】
【００２２】
１  ブラシ本体
１ａ  一端部
１ｂ  中空部
１ｃ  スリット
１ｄ  露出部
１ｅ  露出部
【００２３】
２  回転軸
３  回転ブラシ
４  第１歯車
５  第２歯車
６  第３歯車
【００２４】
７  ベルト
７ａ  開口
８  駆動部
８ａ  ベルト係止部
９  カバー
１０  栓
【図１】
0003218866.tif 000003
【図２】
0003218866.tif 000004
【図３】
0003218866.tif 000005
【図４】
0003218866.tif 000006
【手続補正書】
【提出日】平成30年9月18日(2018.9.18)
【手続補正１】
【補正対象書類名】実用新案登録請求の範囲
【補正対象項目名】請求項１
【補正方法】変更
【補正の内容】
【請求項１】
細長いブラシ本体（１）と、
前記ブラシ本体（１）の長手方向の一端部（１ａ）に、ブラシ本体（１）に直交して回転軸（２）が軸支された回転ブラシ（３）と、
前記回転軸（２）の回りに取付られた第１歯車（４）と、
前記一端部（１ａ）から離間した位置で、ブラシ本体（１）に軸支された第３歯車（６）と、
前記第１歯車（４）と第３歯車（６）とを、直接連結する柔軟なベルト（７）と、
前記ベルト（７）に取付られ、ブラシ本体（１）の長手方向に手動で往復される駆動部（８）と、
を具備する手動回転歯ブラシ。
【手続補正２】
【補正対象書類名】実用新案登録請求の範囲
【補正対象項目名】請求項２
【補正方法】変更
【補正の内容】
【請求項２】
細長いブラシ本体（１）と、
前記ブラシ本体（１）の長手方向の一端部（１ａ）に、ブラシ本体（１）に直交して回転軸（２）が軸支された回転ブラシ（３）と、
前記回転軸（２）の回りに取付られた第１歯車（４）と、
前記第１歯車（４）に歯合する増速用の第２歯車（５）と、
前記一端部（１ａ）から離間した位置で、ブラシ本体（１）に軸支された第３歯車（６）と、
第２歯車（５）と第３歯車（６）とを環状に連結する柔軟なベルト（７）と、
前記ベルト（７）に取付られ、ブラシ本体（１）の長手方向に手動で往復される駆動部（８）と、
を具備する手動回転歯ブラシ。
【手続補正３】
【補正対象書類名】明細書
【補正対象項目名】０００５
【補正方法】変更
【補正の内容】
【０００５】
請求項１に記載の考案は、細長いブラシ本体１と、
前記ブラシ本体１の長手方向の一端部１ａに、ブラシ本体１に直交して回転軸２が軸支された回転ブラシ３と、
前記回転軸２の回りに取付られた第１歯車４と、
前記一端部１ａから離間した位置で、ブラシ本体１に軸支された第３歯車６と、
前記第１歯車４と第３歯車６とを、直接連結する柔軟なベルト７と、
前記ベルト７に取付られ、ブラシ本体１の長手方向に手動で往復される駆動部８と、
を具備する手動回転歯ブラシである。
【手続補正４】
【補正対象書類名】明細書
【補正対象項目名】０００６
【補正方法】変更
【補正の内容】
【０００６】
請求項２に記載の考案は、細長いブラシ本体１と、
前記ブラシ本体１の長手方向の一端部１ａに、ブラシ本体１に直交して回転軸２が軸支された回転ブラシ３と、
前記回転軸２の回りに取付られた第１歯車４と、
前記第１歯車４に歯合する増速用の第２歯車５と、
前記一端部１ａから離間した位置で、ブラシ本体１に軸支された第３歯車６と、
第２歯車５と第３歯車６とを環状に連結する柔軟なベルト７と、
前記ベルト７に取付られ、ブラシ本体１の長手方向に手動で往復される駆動部８と、
を具備する手動回転歯ブラシである。